(57)【要約】【課題】プロジェクター操作に不慣れなユーザーでもリモコンにより確実に操作できるようにするとともに誤操作で内部の設定項目が変更されるのを防止する。【解決手段】リモコン２５による操作を受け付けたとき（ステップＳ２０１）、有線操作を受け付ける第１モードに設定されていない場合（ステップＳ２０２：Ｙ）、内部の設定項目変更操作を禁止する。【選択図】図４
2013187795.tif 000002
【特許請求の範囲】
【請求項１】
画像を投写するプロジェクターであって、
遠隔操作装置との無線接続により操作される第１モード、または前記遠隔操作装置との有線接続により操作される第２モードのいずれかを設定するモード設定手段と
複数の設定項目を記憶する記憶手段と、
当該プロジェクターを使用可能にするための認証を行う認証手段と、
当該プロジェクターに前記遠隔操作装置が有線接続されたことを検出する検出手段と、
当該プロジェクターの動作を制御する制御手段と、を備え、
前記制御手段は、前記検出手段により、当該プロジェクターに前記遠隔操作装置が有線接続されたことを検出していない場合に、前記モード設定手段により前記第１モードを設定し、前記認証手段により認証を行わせ、
前記制御手段は、前記検出手段により、当該プロジェクターに前記遠隔操作装置が有線接続されたことを検出した場合に、前記モード設定手段により前記第２モードを設定し、
前記制御手段は、前記モード設定手段により前記第２モードが設定されている場合に前記複数の設定項目の変更操作を無効とする、
ことを特徴とする、プロジェクター。
【請求項２】
請求項１に記載のプロジェクターであって、
前記制御手段は、前記検出手段により、当該プロジェクターに前記遠隔操作装置が有線接続されたことが検出された場合に当該プロジェクターを起動し、
前記制御手段は、前記検出手段により、当該プロジェクターより前記遠隔操作装置の有線接続が外されたことが検出された場合に当該プロジェクターの電源をオフする、
ことを特徴とする、プロジェクター。
【請求項３】
複数の設定項目を記憶する記憶手段を備え、画像を投写するプロジェクターの制御方法であって、
遠隔操作装置により無線接続により操作される第１モード、または前記遠隔操作装置との有線接続により操作される第２モードのいずれかを設定するモード設定ステップと、
当該プロジェクターを使用可能にするための認証を行う認証ステップと、
当該プロジェクターに前記遠隔操作装置が有線接続されたことを検出する検出ステップと、
当該プロジェクターを起動するための操作を受け付け、前記検出ステップにより、当該プロジェクターに前記遠隔操作装置が有線接続されたことが検出されていない場合に、前記モード設定ステップにより前記第１モードが設定され、前記認証ステップにより認証を行う第１制御ステップと、
前記検出ステップにより、当該プロジェクターに前記遠隔操作装置が有線接続されたことが検出された場合に、前記モード設定ステップにより前記第２モードを設定する第２制御ステップと、
前記モード設定ステップにより前記第２モードが設定されている場合に、前記複数の設定項目の変更操作を無効とする操作ステップと、
を有することを特徴とする、プロジェクターの制御方法。
【発明の詳細な説明】
【技術分野】
【０００１】
本発明は、画像を投写するプロジェクター、及びプロジェクターの制御方法に関する。
【背景技術】
【０００２】
画像を投写するプロジェクターを天吊り設置している場合、不正使用を防止するためにリモートコントローラー（リモコン／ＲＣ）を鍵代わりにし、プロジェクターを使用する際に、持ち込んだリモコンによって操作（リモコン操作）する方法が使われている。
しかし、操作に不慣れなユーザーは、リモコンの電池が消耗していたり、リモコンを正しい方向に向けないためにプロジェクターが応答せず、正しく操作できなかったり、誤って内部の設定情報（設定項目）を変更したりしてしまう虞があった。
【０００３】
特許文献１には、リモコン操作に対する応答を受信し、音声や振動で伝える方法が開示されている。この方法によれば、リモコン操作に対してプロジェクターが応答したかどうかを確認することができる。
【先行技術文献】
【特許文献】
【０００４】
【特許文献１】特開平１１−２６２０７３号公報
【発明の概要】
【発明が解決しようとする課題】
【０００５】
しかしながら、特許文献１の方法では、無線により双方向通信、及び音声・振動による応答の報知を行うためにリモコン、およびプロジェクター本体のコストがアップしてしまう上、操作のたびに応答することが必ずしも好まれるとは限らないという問題があった。また、誤って設定情報を変更してしまうという問題は解決されなかった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、遠隔操作装置との無線接続により操作される第１モード、または前記遠隔操作装置との有線接続により操作される第２モードのいずれかを設定するモード設定手段と複数の設定項目を記憶する記憶手段と、当該プロジェクターを使用可能にするための認証を行う認証手段と、当該プロジェクターに前記遠隔操作装置が有線接続されたことを検出する検出手段と、当該プロジェクターの動作を制御する制御手段と、を備え、前記制御手段は、前記検出手段により、当該プロジェクターに前記遠隔操作装置が有線接続されたことを検出していない場合に、前記モード設定手段により前記第１モードを設定し、前記認証手段により認証を行わせ、前記制御手段は、前記検出手段により、当該プロジェクターに前記遠隔操作装置が有線接続されたことを検出した場合に、前記モード設定手段により前記第２モードを設定し、前記制御手段は、前記モード設定手段により前記第２モードが設定されている場合に前記複数の設定項目の変更操作を無効とする、ことを特徴とする。
【０００８】
本適用例によれば、遠隔操作装置を有線接続してプロジェクターを操作する場合は、認証を行わず、複数の設定項目の変更を禁止する。遠隔操作装置を無線接続によりプロジェクターを操作する場合は、認証を行い、複数の設定項目の変更を許可する。これにより、認証方法を知る管理者は遠隔操作装置の無線操作によってプロジェクターの認証を行い、複数の設定項目を変更することができる。また、操作に不慣れなユーザーの場合は、遠隔操作装置を有線接続することにより、認証を行う必要がなく、また、遠隔操作装置の操作方向を意識することなくプロジェクターを確実に操作することができる上、誤って複数の設定項目を変更してしまうことを防止することが可能となる。
【０００９】
［適用例２］上記適用例に記載のプロジェクターにおいて、前記制御手段は、前記検出手段により、当該プロジェクターに前記遠隔操作装置が有線接続されたことが検出された場合に当該プロジェクターを起動し、前記制御手段は、前記検出手段により、当該プロジェクターより前記遠隔操作装置の有線接続が外されたことが検出された場合に当該プロジェクターの電源をオフする、ことを特徴とする。
【００１０】
本適用例によれば、遠隔操作装置をプロジェクターに有線接続することで、プロジェクターが起動し、遠隔操作装置とプロジェクターの有線接続を外すことによりプロジェクターの電源がオフする。これにより、操作に不慣れなユーザーは遠隔操作装置を有線接続してプロジェクターを使用し、遠隔操作装置を外すだけでプロジェクターの電源をオフするので面倒な操作をせずにプロジェクターを使用することができる。
【００１１】
［適用例３］本適用例に係るプロジェクターの制御方法は、複数の設定項目を記憶する記憶手段を備え、画像を投写するプロジェクターの制御方法であって、遠隔操作装置により無線接続により操作される第１モード、または前記遠隔操作装置との有線接続により操作される第２モードのいずれかを設定するモード設定ステップと、当該プロジェクターを使用可能にするための認証を行う認証ステップと、当該プロジェクターに前記遠隔操作装置が有線接続されたことを検出する検出ステップと、当該プロジェクターを起動するための操作を受け付け、前記検出ステップにより、当該プロジェクターに前記遠隔操作装置が有線接続されたことが検出されていない場合に、前記モード設定ステップにより前記第１モードが設定され、前記認証ステップにより認証を行う第１制御ステップと、前記検出ステップにより、当該プロジェクターに前記遠隔操作装置が有線接続されたことが検出された場合に、前記モード設定ステップにより前記第２モードを設定する第２制御ステップと、前記モード設定ステップにより前記第２モードが設定されている場合に、前記複数の設定項目の変更操作を無効とする操作ステップと、を有することを特徴とする。
【００１２】
本適用例によれば、遠隔操作装置を有線接続してプロジェクターを操作する場合は、認証を行わず、複数の設定項目の変更を禁止する。遠隔操作装置を無線接続によりプロジェクターを操作する場合は、認証を行い、複数の設定項目の変更を許可する。これにより、認証方法を知る管理者は遠隔操作装置の無線操作によってプロジェクターの認証を行い、複数の設定項目を変更することができる。また、操作に不慣れなユーザーの場合は、遠隔操作装置を有線接続することにより、認証を行う必要がなく、また、遠隔操作装置の操作方向を意識することなくプロジェクターを確実に操作することができる上、誤って複数の設定項目を変更してしまうことを防止することが可能となる。
【図面の簡単な説明】
【００１３】
【図１】プロジェクターの概略斜視図であり、（ａ）は前方から見た図、（ｂ）は後方から見た図。
【図２】プロジェクターの概略構成を示すブロック図。
【図３】プロジェクターが起動するときの動作を示すフローチャート。
【図４】プロジェクターが投写中にリモコンの操作を受け付けたときの動作を示すフローチャート。
【図５】プロジェクターが投写中にリモコンが外されたことを検出した時の動作を示すフローチャート。
【図６】リモコンの操作キーを示す概略平面図。
【図７】プロジェクターを認証するための暗証番号入力画面。
【図８】プロジェクターが第２モードで動作中に電源オフ操作を受け付けたときの警告画面。
【発明を実施するための形態】
【００１４】
以下、図面を参照して本発明のプロジェクター、及びプロジェクターの制御方法にかかる一実施形態について説明するが、以下の実施形態は特許請求の範囲にかかる発明を限定するものではなく、また、実施形態における特徴の組み合わせの全てが発明の解決手段に必須であるとは限らない。
【００１５】
（第１実施形態）
図１は本実施形態のプロジェクターの斜視図であり、（ａ）は前方から見た図、（ｂ）は後方から見た図である。
図１（ａ）、（ｂ）に示すように、プロジェクター１は、上面２ｔ、前面２ｆ、背面２ｂなどを有する筐体２によって装置本体が覆われた構成となっている。なお、本実施形態においては、プロジェクター１に対して、投写方向でもある前面２ｆ方向を前方とし、前面２ｆの反対側である背面２ｂ方向を後方とする。
【００１６】
筐体２の前面２ｆには、前方に向かって画像光を投写する投写レンズ１３、操作信号受信手段２４が備えられている。背面２ｂには複数の画像信号入力端子６、操作信号受信手段２４、リモコン接続端子２６、及び電源端子３０が備えられている。
リモコン接続端子２６は、遠隔操作装置の一例としてのリモートコントローラー（リモコン）２５と、通信ケーブルＣＡを介して有線接続し、有線での遠隔操作を受け付ける。また、前面２ｆおよび背面２ｂに備えられている操作信号受信手段２４は、リモコン２５と無線接続し、無線での遠隔操作を受け付ける。
【００１７】
図２は、本実施形態のプロジェクターの概略構成を示すブロック図である。
図２に示すように、プロジェクター１は、画像入力端子６、画像投写手段１０、検出手段１５、ＯＳＤ処理手段１６、画像信号処理手段１７、画像入力選択手段１８、制御手段２０、記憶手段２１、光源制御手段２２、通信手段２３、操作信号受信手段２４、リモコン接続端子２６、電源端子３０、電源部３１等で構成されており、これらは筐体２の内部、または外面に収容されている。
【００１８】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００１９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２１】
本実施形態では、光源として光源ランプ１１ａを用いて投写するプロジェクター１を例示したが、本発明は光源としてＬＥＤ（Light Emitting Diode）光源やレーザー光源などを用いて投写するプロジェクターにも適用することができる。
【００２２】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２３】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
制御手段２０は、モード設定手段２０１と、認証手段２０２と、を含み構成される。
モード設定手段２０１は、リモコン２５との無線接続により操作される第１モード、またはリモコン２５との有線接続により操作される第２モードのいずれかを設定する。モード設定手段２０１の設定内容は図示しないが記憶手段２１に保存される。
認証手段２０２は、プロジェクター１を使用可能とするための認証を行う、認証は、例えば、数字などの組み合わせによる暗証番号や、指紋認証、声紋認証などを用いることができる。
【００２４】
記憶手段２１は、図示しないフラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する複数の設定項目２１１等が記憶されている。
【００２５】
操作信号受信手段２４は、遠隔操作で入力操作を行うリモートコントローラー（リモコン／ＲＣ）２５からの無線操作信号を受信し、ユーザーの操作内容に応じた、操作信号を制御手段２０に出力する。リモコン２５の操作キーを図６に示す。
図６に示すように、リモコン２５が備える操作キーとしては、電源キー２５ａ、入力切替キー２５ｂ、メニューキー２５ｃ、カーソルキー２５ｄ、決定キー２５ｅ、エスケープキー２５ｆ、ヘルプキー２５ｇの操作キーに加え、画面ミュートキー２５ｈ、画面縦横比切替キー２５ｉ、カラーモード切替キー２５ｊ、番号入力キー２５ｋ等がある。
なお図示しないが、リモコン２５には操作信号を無線接続により送出するための無線送信部と、プロジェクター１と通信ケーブルＣＡを介して有線接続し、操作信号を送信する有線送信部とを備える。
【００２６】
通信手段２３は、リモコン接続端子２６から入力されるリモコン２５の操作信号を受け付け、制御手段２０に通知する。通信手段２３が受け付ける操作信号は操作信号受信手段２４が受け付ける操作信号と同等である。
なお、通信手段２３または操作信号受信手段２４により、リモコン２５からの操作信号を受け付けることを「リモコン２５の操作を受け付ける」とも表現する。
【００２７】
複数の画像入力端子６にはビデオ再生装置や、パーソナルコンピューター等、図示しない外部の画像供給装置から、図示しないケーブルを介して画像情報が入力される。各画像入力端子６に入力された画像情報は、画像入力選択手段１８に供給される。
または、図示しない無線信号受信手段を備え、無線信号受信手段を介して外部機器と無線通信（電波通信、光無線通信など）することによって画像情報を画像信号入力手段１８に供給する構成としてもよい。
【００２８】
ユーザーが、リモコン２５に備わる入力切替キー２５ｂを操作して所望の一の画像入力端子６を指定すると、制御手段２０は、一の画像入力端子６に入力される画像信号が画像信号処理手段１７に出力されるよう、画像入力選択手段１８に指示をする。
【００２９】
画像入力選択手段１８は、複数の画像入力端子６のうち、制御手段２０の指示に基づく一の画像入力端子６を選択し、一の画像入力端子６に入力される画像信号を画像信号処理手段１７に出力する。
【００３０】
検出手段１５は、リモコン接続端子２６に通信ケーブルＣＡを介してリモコン２５が接続されているか否かの検出結果を制御手段２０に通知する。具体的には、リモコン接続端子２６にリモコン検出用信号線があり、通信ケーブルＣＡを介してリモコン２５を接続することでリモコン検出用信号線の検出レベルが変化し、検出手段１５が検出結果（リモコン２５の接続あり、無し）を制御手段２０に通知する。
【００３１】
画像信号処理手段１７は、画像入力選択手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３２】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３３】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像により光を変調して形成された画像光が投写レンズ１３から投写される。
【００３４】
光源制御手段２２は、制御手段２０の指示に基づいて、光源１１に対する電力の供給と、停止と、を制御し、光源１１の点灯、及び消灯を切り替える。
【００３５】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ）とを切り替えることができる。スタンバイ状態に切り替えることを、電源をオフする、とも言う。
【００３６】
次に、本実施形態のプロジェクター１の動作を図３〜５のフローチャートを用いて説明する。図３はプロジェクター１を起動するときの動作、図４はプロジェクター１が投写中にリモコン２５の操作を受け付けた時の動作、図５はプロジェクター１が投写中にリモコン２５が外されたことを検出した時の動作、をそれぞれ示すフローチャートである。
【００３７】
（プロジェクター１を起動するとき）
図３に示すように、プロジェクター１がスタンバイ状態において、リモコン２５の電源キー２５ａの操作により電源オンすると（ステップＳ１０１）、制御手段２０は、光源制御手段２２により光源１１を点灯させてプロジェクター１を電源オン状態に移行させ（ステップＳ１０２）、ステップＳ１０３に遷移する。
【００３８】
ステップＳ１０３において制御手段２０は、検出手段１５により、リモコン２５が有線接続されているか否かを調べる。リモコン２５が有線接続されている場合（ステップＳ１０３：Ｙ）、ステップＳ１１５に遷移する。リモコン２５が有線接続されていない場合、言い換えると無線接続されている場合（ステップＳ１０３：Ｎ）、ステップＳ１０４に遷移する。このステップＳ１０３と、後述するステップＳ１１１が検出ステップに相当する。
【００３９】
ステップＳ１０４において制御手段２０は、モード設定手段２０１により第１モードに設定し、ステップＳ１０５に遷移する。このステップＳ１０４と、後述するステップＳ１１５がモード設定ステップに相当する。
【００４０】
ステップＳ１０５において制御手段２０は、画像投写手段１０により暗証番号入力画面Ｍ１を投写し、認証手段２０２により入力された暗証番号の認証を行う。このときの暗証番号入力画面Ｍ１を図７に示す。このステップＳ１０５が認証ステップに相当する。次にステップＳ１０６に遷移する。
また、ステップＳ１０１からステップＳ１０５が第１制御ステップに相当する。
【００４１】
ステップＳ１０６において制御手段２０は、ステップＳ１０５において認証が成功したか否かを調べる。認証が成功した場合（ステップＳ１０６：Ｙ）、ステップＳ１２０に遷移する。認証が失敗した場合（ステップＳ１０６：Ｎ）、ステップＳ１０７に遷移する。
【００４２】
ステップＳ１０７において制御手段２０は、光源制御手段２２により光源１１を消灯させ、ステップＳ１０８に遷移する。
【００４３】
ステップＳ１０８において制御手段２０は、プロジェクター１を電源オフしてスタンバイ状態に移行させ、本動作フローを終了する。
【００４４】
ステップＳ１１５において制御手段２０は、モード設定手段２０１により第２モードに設定し、ステップＳ１２０に遷移する。
【００４５】
ステップＳ１２０において制御手段２０は、画像入力選択手段１８より入力される画像を画像投写手段１０により投写し、本動作フローを終了する。
【００４６】
また、プロジェクター１がスタンバイ状態において、検出手段１５により、リモコン２５が有線接続されたことを検出すると（ステップＳ１１１）、制御手段２０は、光源制御手段２２により光源１１を点灯させ（ステップＳ１１２）、ステップＳ１１５に遷移する。
ステップＳ１０３（Ｙ）、ステップＳ１１１、ステップＳ１１２、及びステップＳ１１５が第２制御ステップに相当する。
【００４７】
（プロジェクター１が投写中にリモコンの操作を受け付けたとき）
図４に示すように、プロジェクター１が画像を投写中にリモコン２５の操作を受け付けると（ステップＳ２０１）、ステップＳ２０２に遷移する。
【００４８】
ステップＳ２０２において制御手段２０は、モード設定手段２０１により第１モードが設定されているか否かを調べる。モード設定手段２０１により第１モードが設定されている場合（ステップＳ２０２：Ｙ）、ステップＳ２０４に遷移する。モード設定手段２０１により第１モードが設定されていない、即ち第２モードが設定されている場合（ステップＳ２０２：Ｎ）、ステップＳ２０３に遷移する。
【００４９】
ステップＳ２０３において制御手段２０は、ステップＳ２０１において受け付けた操作が、設定項目２１１の変更操作か否かを調べる。ステップＳ２０１において受け付けた操作が設定項目２１１の変更操作の場合（ステップＳ２０３：Ｙ）、この操作を無効とし、ステップＳ２０５に遷移する。
ステップＳ２０１において受け付けた操作が設定項目２１１の変更操作でない場合（ステップＳ２０３：Ｎ）、ステップＳ２０４に遷移する。設定項目２１１の変更操作でない操作とは、例えば画面のミュート操作、画像入力端子６の切り替え操作、画面の縦横比切り替え操作などがある。
【００５０】
ステップＳ２０４において制御手段２０は、ステップＳ２０１において受け付けた操作を実行し、ステップＳ２０５に遷移する。
【００５１】
ステップＳ２０５において本動作フローを終了する。ステップＳ２０１からステップＳ２０４が操作ステップに相当する。
【００５２】
（リモコンが外されたことを検出したとき）
図５に示すように、プロジェクター１が画像を投写中に、検出手段１５によりリモコン２５がプロジェクター１より取り外されたことを検出すると（ステップＳ３０１）、制御手段２０は、光源制御手段２２により光源１１を消灯させ（ステップＳ３０２）、ステップＳ３０３に遷移する。
なお、設定項目２１１の変更操作をしたいためにリモコン２５を外した場合は、図１で説明したように、リモコン２５を無線接続させて再度電源オン操作をすれば第１モードに移行し、認証手段２０２による認証が実行される。
【００５３】
ステップＳ３０３において制御手段２０は、プロジェクター１の電源をオフしてスタンバイ状態に移行させ、本動作フローを終了する。
【００５４】
以上説明したように、本実施形態のプロジェクター１によれば、リモコン（遠隔操作装置）２５を有線接続してプロジェクター１を操作する場合は、認証手段２０２による認証を行わず、設定項目２１１の変更を禁止する。リモコン２５を無線接続によりプロジェクター１を操作する場合は、認証手段２０２による認証を行い、設定項目２１１の変更を許可する。
これにより、認証方法を知る管理者はリモコン２５の無線操作によってプロジェクター１の認証を行い、設定項目２１１の設定内容を変更することができる。また、操作に不慣れなユーザーの場合は、リモコン２５をプロジェクター１に有線接続することにより、認証を行う必要がなく、また、リモコン２５の操作方向を意識することなくプロジェクター１を確実に操作することができる上、誤って設定項目２１１の設定内容を変更してしまうことを防止することが可能となる。
【００５５】
また、リモコン２５をプロジェクター１に有線接続することで、プロジェクター１が起動し、リモコン２５とプロジェクター１の有線接続を外すことによりプロジェクター１の電源がオフする。これにより、操作に不慣れなユーザーはリモコン２５を有線接続してプロジェクター１を使用し、リモコン２５を外すだけでプロジェクター１の電源をオフするので面倒な操作をせずにプロジェクター１を使用することができる。
【００５６】
また、上記実施形態は、以下のように変更してもよい。
（変形例１）
上記実施形態において、プロジェクター１が第２モードで動作しているとき、電源オフ操作を受け付けた場合に警告メッセージを表示するようにしてもよい。これにより、有線接続で使っていたユーザーにリモコン２５を外すよう促し、リモコン２５の外し忘れを防止することが可能となる。このときの警告メッセージＭ２を図８に示す。
【００５７】
（変形例２）
上記実施形態において、リモコン２５とプロジェクター１とを有線接続した際に、通信ケーブルＣＡからリモコン２５に給電するようにしてもよい。これにより、プロジェクター１をリモコン２５により有線接続で操作する際、リモコン２５の電池の消耗を意識する必要がなくなる。
【符号の説明】
【００５８】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１５…検出手段、１６…ＯＳＤ処理手段、１７…画像信号処理手段、１８…画像入力選択手段、２０…制御手段、２０１…モード設定手段、２０２…認証手段、２１…記憶手段、２１１…設定項目、２２…光源制御手段、２３…通信手段、２４…操作信号受信手段、２５…リモートコントローラー（リモコン／ＲＣ）、２６…リモコン接続端子、３０…電源端子、３１…電源部、ＣＡ…通信ケーブル。
【図１】
2013187795.tif 000003
【図２】
2013187795.tif 000004
【図３】
2013187795.tif 000005
【図４】
2013187795.tif 000006
【図５】
2013187795.tif 000007
【図６】
2013187795.tif 000008
【図７】
2013187795.tif 000009
【図８】
2013187795.tif 000010